(57)【要約】【課題】プラグインコネクタ、特にリボンケーブル用のプラグインコネクタであって、強力な引抜力をもたらし、単純な手段で実現可能な歪軽減手段を備えること。【解決手段】プラグインコネクタ（１１）は、組み立て完了状態において、少なくとも１つのワイヤを有する絶縁ケーブル（４０）を結合し配置する少なくとも１つのブレード型締め付け要素（１３、１４）を有するベース要素（１０）を備えている。ベース要素（１０）は、少なくとも１つの非弾性締め付け要素（１５、１６、１７、２１）を備え、非弾性締め付け要素（１５、１６、１７、２１）の長さは、プラグインコネクタ（１１）の組み立て完了状態において、締め付け要素（１５、１６、１７、２１）がケーブル絶縁体（４３）を変形させる、または、少なくともケーブル絶縁体（４３）にめり込むことにより、絶縁ケーブル（４０）を締め付けるように選択される。【選択図】図３
2008084857.tif 000002
【特許請求の範囲】
【請求項１】
組み立て完了状態において、少なくとも１つのワイヤを有する絶縁ケーブル（４０）を結合し配置する少なくとも１つのブレード型締め付け要素（１３、１４）と、
少なくとも１つの非弾性締め付け要素（１５、１６、１７、２１）と、
を含むベース要素（１０）を備え、
前記締め付け要素（１５、１６、１７、２１）の長さは、組み立て完了状態において、前記締め付け要素（１５、１６、１７、２１）が前記絶縁ケーブル（４０）のケーブル絶縁体（４３）を変形させる、または、前記ケーブル絶縁体（４３）に少なくともめり込むことにより、前記絶縁ケーブル（４０）を締め付けるように設定されている、
プラグインコネクタ。
【請求項２】
前記締め付け要素（１５、１６、１７、２１）がブレード型締め付け部（１３、１４）に直に隣接して配置される、請求項１に記載のプラグインコネクタ。
【請求項３】
前記絶縁ケーブル（４０）の長手方向（２０）に対して、少なくとも１つの締め付け要素（１５、１６、１７、２１）が前記ブレード型締め付け部（１３、１４）の前後に備えられている、請求項１に記載のプラグインコネクタ。
【請求項４】
前記少なくとも１つの締め付け要素（１５、１６、１７、２１）が非導電性プラスチック材料からなる、請求項１に記載のプラグインコネクタ。
【請求項５】
前記締め付け要素（１５、１６、１７、２１）が、前記絶縁ケーブルの取り付け方向における少なくとも前記ワイヤ（４１）の略径領域において、前記ケーブル絶縁体（４３）を前記ブレード型締め付け部（１３、１４）に対して締め付ける、請求項１に記載のプラグインコネクタ。
【請求項６】
前記締め付け要素（１５、１６、１７、２１）は尖端部（１８、１９、２２、２３）を備える、請求項１に記載のプラグインコネクタ。
【請求項７】
前記尖端部（１８、１９、２２、２３）は前記絶縁ケーブル（４０）の長手方向（２０）に配向されている、請求項６に記載のプラグインコネクタ。
【請求項８】
前記尖端部（２２、２３）が複数設けられる、請求項６に記載のプラグインコネクタ。
【請求項９】
少なくとも１つの締め付け要素（１７）をさらに備え、
前記締め付け要素（１７）は、プラグインコネクタ（１１）の取り付け完了状態において、２つの隣接ワイヤ（４１）間に延在する前記絶縁ケーブル（４０）の接続用ブリッジ（４４）を締め付ける、請求項１に記載のプラグインコネクタ。
【請求項１０】
前記締め付け要素（１７）は、プラグインコネクタ（１１）の取り付け完了状態において前記接続用ブリッジ（４４）を締め付ける尖端部（１０）を備え、
前記締め付け要素（１７）の幅は、前記ケーブル（４０）の２つの隣接ワイヤ（４１）のうち少なくとも１つのワイヤ（４１）が前記締め付け要素（１７）によって付加的に確実に締め付けられように選択される、請求項９に記載のプラグインコネクタ。
【請求項１１】
前記プラグインコネクタ（１１）は、プラグインコネクタ（１１）の取り付け完了状態において、前記ベース要素（１０）上に前記絶縁ケーブル（４０）を押圧する上部（１２）を備える、請求項１に記載のプラグインコネクタ。
【請求項１２】
前記上部（１２）は、前記絶縁ケーブル（４０）を収容する少なくとも１つのケーブルダクト（３１）を備える、請求項１１に記載のプラグインコネクタ。
【請求項１３】
前記上部（１２）は、プラグインコネクタ（１１）の組み立て工程中に、少なくとも１つの締め付け要素（１５、１６、１７、２１）が挿入される前記少なくとも１つのガイドダクト部（３３）を備える、請求項１１に記載のプラグインコネクタ。
【請求項１４】
前記上部（１２）は、プラグインコネクタ（１１）の組み立て完了状態において、前記締め付け要素（１５、１６、１７、２１）と略対向して配置された当接部（３５）を備える、請求項１１に記載のプラグインコネクタ。
【請求項１５】
前記上部（１２）は、プラグインコネクタ（１１）の組み立て工程中に、前記ベース要素（１０）に対して前記上部（１２）を位置決めするための位置決め要素（３０）を備える、請求項１１に記載のプラグインコネクタ。
【請求項１６】
前記上部（１２）は、組み立て工程の最後に前記ベース要素（１０）上に上部（１２）を固定する少なくとも２つの戻り止め（３４）を備える、請求項１１に記載のプラグインコネクタ。
【発明の詳細な説明】
【技術分野】
【０００１】
本発明は、歪軽減機能を備えたプラグインコネクタに関する。
【背景技術】
【０００２】
ドライブコントローラを、対応するドライバと接続するためのリボンケーブルプラグインコネクタは、コンピュータエンジニアリングの分野ではよく知られている。リボンケーブルプラグインコネクタは、所定数のコンタクトを備えており、このコンタクトはコンタクトの数と対応する数のリボンケーブル線を接合するためのものである。すべてのリボンケーブルワイヤは、例えばブレード型締め付けコンタクトを使用して、プラグインコネクタ内に個別に配置および結合される。
【０００３】
特許文献１には、リボンケーブル用のプラグインコネクタが開示されている。このプラグインコネクタにおいて、リボンケーブルのシールドシースの上下部分が取り付け要素を介してプラグハウジングのシールドシースに接続されている。リボンケーブルのシールドシースは、上下両面から取り外されて、シールドシースがリボンケーブルの外部絶縁体上に載置されるように後方に屈曲されている。取り付け要素とシールドシース間の結合は、ねじ留めされた結合部により実現される。リボンケーブルの歪軽減機能は、主にリボンケーブルのシールドシースを所定位置に固定することにより実現される。
【０００４】
特許文献２には、リボンケーブル用の多極プラグインコネクタが開示されている。このプラグインコネクタにおいて、リボンケーブルの導体はブレード型締め付けコンタクトによって配置・接合され、リボンケーブルのシールド部は金属クリップを使用して配置・接合されている。また、プラグハウジングのリボンケーブル用のＵ字型ガイドと、金属クリップによってかけられた型締め圧とによって歪軽減機能が実現される。
【０００５】
特許文献３には、周知のプラグインコネクタが開示されている。このプラグインコネクタは、絶縁導体を電気的に接続するためのブレード型締め付け装置（Scneid−Klemm-Vorrichtung）を有し、印刷回路基板を収容するハウジングを備える。このプラグハウジングは、一体形成された複数の支持リブを有するカバーを備えている。カバーを閉じた場合、同一操作において、同時に支持リブが導体をブレード型締め付けコンタクトのブレード部に付勢する。
【０００６】
特許文献４には、リボンケーブル接続用の多極プラグインコネクタが開示されている。リボンケーブルは複数の絶縁導体を備えており、これらの絶縁導体は比較的広い接続用ブリッジ部を介して互いに所定間隔で配置されている。ブリッジ部の幾つかは、プラグインコネクタの組み立て完了状態において戻り止めと嵌合する複数の凹部を備えており、この嵌合により歪軽減機能が実現される。
【０００７】
特許文献５には、歪軽減機能を備えた絶縁電子回路ライン用ラインホルダが開示されている。このホルダでは、ラインホルダの上部に配置された横せん断バーによって強力な引抜力が実現される。また、ラインホルダの取り付け状態で、ラインホルダの下部に配置されたコンタクト間に横せん断バーが挿入される。これにより、隣接するコンタクトの脚部を、隣接する環状ラインの導体と接触するように付勢する。
【０００８】
特許文献６には、少なくとも２つのワイヤを有する絶縁ラインを電気的に接続する装置が開示されている。この装置では、各導体の接続が複数のブレード型締め付けコンタクトを介して実現される。ライン端子の下部において、上端に刃部を有する複数のブレード型締め付けコンタクトの近傍に、複数の脚部（分割ウェブ）が備えられている。ブレード型締め付けコンタクトによる接続の確立前に、分割ウェブは取り付け工程中に別々の２つのラインを形成するために、２コア型ケーブルを分割する。
【０００９】
特許文献７には、歪軽減機能を備えたリボンケーブル用プラグインコネクタが開示されている。この歪軽減機能は、プラグインコネクタの下部に配置された弾性押圧部を有し、プラグインコネクタ下部にはブレード型締め付けコンタクトが配置される。また、弾性押圧部は、組み立て時に、プラグインコネクタの上部によってリボンケーブルの絶縁体の方向に曲げられる。圧縮部は少なくとも絶縁体に部分的にめり込み、これにより歪軽減機能をもたらす。
【特許文献１】欧州特許出願第ＥＰ  １３５  １２２  Ａ２号
【特許文献２】ドイツ特許出願明細書第ＤＥ  ３４  ３３  ０００  Ｃ２号
【特許文献３】ドイツ特許出願明細書第ＤＥ  １９７  ３３  ２０２  Ｃ１号
【特許文献４】ドイツ特許出願明細書第ＤＥ  ４１  ０２  ５４１  Ｃ１号
【特許文献５】ドイツ実用新案第ＤＥ  ９１  １６  ６８９  Ｕ１号
【特許文献６】ドイツ実用新案第ＤＥ  ２９６  １７  １９０  Ｕ１号
【特許文献７】ドイツ特許出願明細書第ＤＥ  １０１  ６２  ８４５  Ｃ１号
【発明の開示】
【発明が解決しようとする課題】
【００１０】
本発明の目的は、プラグインコネクタ、特にリボンケーブル用のプラグインコネクタであって、強力な引抜力をもたらし、単純な手段で実現可能な歪軽減手段を備えたプラグインコネクタを提供することにある。なお、本目的は特許請求の範囲に記載された独立請求項の特徴により達成される。
【課題を解決するための手段】
【００１１】
本発明に係るプラグインコネクタは、組み立て完了状態において、少なくとも単一コアの絶縁ケーブルを接合し配置する少なくとも１つの圧接コンタクトを含むベース要素を備える。ベース要素は、少なくとも１つの非弾性締め付け要素を備え、非弾性締め付け要素の長さは、プラグインコネクタの組み立て完了状態において、非弾性締め付け要素がケーブル絶縁体を変形させる、または、少なくともケーブル絶縁体にめり込むように設定される。
【００１２】
本発明に係るプラグインコネクタは、強力な引抜力を提供し、かつ、歪軽減機能を備える。これにより、組み立て完了状態で、プラグインコネクタから絶縁ケーブルが引き抜かれないように、絶縁ケーブルの安全性を相当高める。
【００１３】
本発明に係るプラグインコネクタに備えられた少なくとも１つの締め付け要素は、原則的に金属で構成されてもよい。場合によっては、締め付け要素が導体まで、あるいは、導体を貫いてケーブル絶縁体を貫通してもよいという事実を踏まえると、締め付け要素は、非導電性プラスチック材料で構成されることが好ましい。そして、締め付け要素は、特に追加費用を必要とすることなく、例えばプラスチック射出成形でベース要素と同時に製造可能である。これにより、特に本発明に係るプラグインコネクタ全体は、実質的に追加費用を必要とせずに生産可能であり、特に連続生産における費用面で利点がある。
【００１４】
他の点で相当有利な点は、実質的に空間を追加する必要なく歪軽減機能を実現可能である点である。結果として、プラグインコネクタを小型の形状に維持することができる。この点については、使用する絶縁ケーブルがリボンケーブル等のマルチラインケーブルである場合に特に有利になる。
【００１５】
比較可能な公知のプラグインコネクタの取り付け手順と比較した場合、本発明に係るプラグインコネクタは、追加ステップを必要としない簡単な取り付け手順をもたらすという点で特に実質的な利点がある。これは、特に組み立て完了状態のプラグインコネクタの連続生産において、さらに費用面で利点がある。
【００１６】
一実施形態によれば、締め付け要素はブレード型締め付けコンタクトと直に隣接して配置される。ここで、「直に隣接する」と称す表現は、ケーブル絶縁体をブレード型締め付け要素上に押圧するために、ブレード型締め付け要素に加えられる保持力を殆ど完全に利用可能であることを意味する。
【００１７】
ケーブルの長手方向に関連して、少なくとも１つの締め付け要素が圧接コンタクトの前後に備えられていることが好ましい。
【００１８】
また、有利な一実施形態によれば、締め付け要素が、ケーブルの取り付け方向に関連して、少なくとも略コアの径の領域において、ベース要素に対してケーブル絶縁体を締め付ける。これにより、締め付け要素の接触領域が大きくなる。特に、ケーブル絶縁体の横方向への崩壊が防止される。
【００１９】
さらに、他の実施形態によれば、締め付け要素には尖端部が備えられている。尖端部は特に強力な締め付け力を提供する。なお、締め付け力に対応して、強力な引抜力がもたらされる。場合によっては、尖端部はケーブル絶縁体にめり込んで内部に嵌り込んでもよい。尖端部を絶縁ケーブルの長手方向に配向することが好ましい。この実施形態に関する他の用例によれば、締め付け要素が複数の尖端部を有しており、これらの先端部は、異なる地点でケーブル絶縁体を変形する、または、少なくともケーブル絶縁体にめり込んでもよい。
【００２０】
また、一実施形態によれば、プラグインコネクタの取り付け状態で、２つの隣接コア間に延びているケーブルの接続ウェブを締め付ける少なくとも１つの締め付け要素が備えられている。この実施形態に関する他の用例によれば、締め付け要素は接続用ブリッジを締め付ける尖端部を備えており、さらに、締め付け要素の幅は、隣接ワイヤのうち少なくとも１つ、好ましくは両方が締め付けられることを確実にするように選択される。
【００２１】
また、本発明に係るプラグインコネクタによれば、プラグインコネクタの取り付け状態でベース要素上にケーブルを押圧する上部を備えることが好ましい。上部は、プラグインコネクタの組み立て前に、絶縁ケーブルを収容するケーブルダクトを含むことが好ましい。
【００２２】
また、一実施形態によれば、上部は少なくとも１つのガイドダクト部を備えており、このガイドダクト部は、プラグインコネクタの組み立て工程中に、少なくとも１つの締め付け要素が挿入されるものである。ガイドダクト部に隣接する少なくとも一領域は、プラグインコネクタの組み立て完了状態において、締め付け要素と略対向して配置された当接部として構成されることが好ましい。これは、少なくとも１つの締め付け要素によりケーブル絶縁体にかけられた型締め圧を増加させる効果を有する。
【００２３】
また、異なる実施形態によれば、上部は少なくとも１つの位置決め要素を備えている。この位置決め要素は、プラグインコネクタの組み立て工程中にベース要素に対して上部を位置決めする。さらに、上部は組み立て工程の最後にベース要素上に上部を固定する少なくとも２つの戻り止めを備えることが好ましい。
【発明を実施するための最良の形態】
【００２４】
図１は、特に本発明にかかるプラグインコネクタ１１のベース要素１０に関する斜視図であり、図４乃至７に図示するケーブルの組み立て前の状態を示す。なお、プラグインコネクタ１１は上部１２を備えることが好ましい。
【００２５】
ベース要素１０は、少なくとも１つのブレード型締め付けコンタクト１３、１４を有する。第１乃至３締め付け要素１５乃至１７は、ブレード型締め付けコンタクト１３の前部および／または側部および／または後部に配置される。第１および第３締め付け要素１５および１７は、図４乃至７に図示するケーブルを構成するワイヤの軸心に対して垂直に配置され、第２締め付け要素１６は、少なくともブレード型締め付け要素１３の締め付け開口部の略前部および／または略後部に配置される。
【００２６】
第１締め付け要素１５は平坦な上端部を有する。第２および第３締め付け要素１６および１７には、それぞれ尖端部１８および１９が備えられている。尖端部１８および１９は、図４乃至７に図示するケーブルの長手方向２０に延在するように配置されることが好ましい。 
【００２７】
ブレード型締め付けコンタクト１４に隣接して、特に、同コンタクトの前部および／または後部には、第４締め付け要素２１が備えられている。第４締め付け要素２１は、長手方向２０に延びる長さが第１乃至第３締め付け要素１５乃至１７よりも長く、２つの尖端部２２および２３を有する点で、第１乃至第３締め付け要素１５乃至１７と異なる。
【００２８】
ベース要素１０は、少なくとも１つの位置決め要素ガイド２４を有することが好ましい。位置決め要素ガイド２４は、特定の場合において上部１２をガイドすることを目的として備えられており、位置決め要素ガイド２４に対応する位置決め要素３０を少なくとも１つ収容することが好ましい。
【００２９】
上部１２は、図４乃至７で詳細に図示するケーブルの収容を目的とする少なくとも１つのケーブルダクト３１を備えることが好ましい。
【００３０】
上部１２は、プラグインコネクタ１１の組み立て工程中に少なくとも１つのブレード型締め付けコンタクト１３および１４が挿入される少なくとも１つの凹部３２を備えることが好ましい。さらに、上部１２は、プラグインコネクタ１１の組み立て工程中に少なくとも１つの締め付け要素１５、１６、１７、２１が挿入される少なくとも１つのガイドダクト部３３を有することが好ましい。
【００３１】
さらに、上部１２は、プラグインコネクタ１１の組み立て完了状態で、ベース要素１０上の上部１２を固定するための２つの戻り止め３４を備えることが好ましい。２つの戻り止め３４は、例えば図１に示すように、上部１２の対向する端部にそれぞれ備えられる。図１に図示していないが、戻り止め３４が上部１２の上記対向する端部と対向する、他方の２つの端部にも備えられることが好ましい。
【００３２】
上記のように、上部１２は絶対に必要というわけではない。原則的に、上部１２を設けない場合であっても、図４乃至７に詳細を示すケーブルは、ベース要素１０に配置および固定することは可能である。少なくとも１つのブレード型締め付けコンタクト１３および１４によって加えられる締め付け力により、ケーブル絶縁体を少なくとも１つの締め付け要素１５、１６、１７、２１上に十分押圧し得る。このとき、特に、少なくとも１つの締め付け要素１５、１６、１７、２１がブレード型締め付けコンタクト１３および１４に直に隣接して配置される場合に、強力な引抜力を実現する。
【００３３】
しかし、プラグインコネクタ１１の組み立て工程中に、少なくとも１つのブレード型締め付けコンタクト１３および１４によってケーブルを配置および固定するためには、上部１２が備えられることが好ましい。さらに、上部１２は、少なくとも１つの締め付け要素１５、１６、１７、２１上にケーブル絶縁体を押圧するために、同ケーブル絶縁体に締め付け力を付加的に与えるように構成することが好ましい。
【００３４】
有利な点として、上部１２には、組み立て工程前にケーブルを収容する少なくとも１つのケーブルダクト３１が備えられる。この結果、ブレード型締め付けコンタクト１３および１４に対してケーブルを高い精度で位置決めすることができる。また、プラグインコネクタ１４の組み立てはかなり円滑になる。
【００３５】
図２は、特に、プラグインコネクタ１１の組み立ての上部１２に関する斜視図を示している。なお、図２において、図１に示す部分と一致する部分については、同一の参照番号を付与するものとする。
【００３６】
図２は、ベース要素１０に対する上部１２の位置を示しており、ここでは、少なくとも１つのブレード型締め付けコンタクト１３および１４が凹部３２に挿入されている。また、図２においては、少なくとも１つの締め付け要素１５、１６、１７、２１は、対応するガイドダクト部３３の所定位置に挿入されておらず、位置決め要素３０がベース要素１０の位置決め要素ガイド２４への進入を開始した時点の様子が示されている。
【００３７】
図２は、少なくとも１つのガイドダクト部３３を網羅する上部１２の領域を示す。少なくともこの領域の一部が当接部３５として設定される。当接部３５は、プラグインコネクタ１１の組み立て完了状態において、対応する締め付け要素１５、１６、１７、２１と少なくとも略対向して配置されているので、ケーブル絶縁体を締め付け要素１５、１６、１７、２１上に配置するのに適した反力をさらに提供する。
【００３８】
図３は、組み立て完了状態でのプラグインコネクタ１１に関する斜視図である。なお、図３においては、プラグインコネクタ１１の組み立て完了状態における少なくとも１つの締め付け要素１５、１６、１７、２１の位置を図示すために、ケーブルが取り付けられていない状態を示す。また、図３において、図１および２に示す部分と一致する部分については、同一の参照番号を付与するものとする。
【００３９】
図３に示す位置において、締め付け要素１７の尖端部１９と、第３締め付け要素２１の２つの尖端部２２および２３だけでなく、第１締め付け要素１５、第２締め付け要素１６の尖端部１８、第３締め付け要素１７も、ケーブルダクト３１内に少なくとも部分的に突出している状態を視認することができる。
【００４０】
図４は、ベース要素１０およびケーブル４０が取り付けられた上部１２に関する斜視図である。なお、図４に於いて、図１乃至３で示す部分と一致する部分については、同一の参照符号を付与するものとする。
【００４１】
図示された実施形態においては、ケーブル４０が４つのワイヤ４１を有するリボンケーブルで構成されることを想定しているが、図４においては３つのワイヤを図示し、上部１２内部のガイドダクト部３３の状態を示すために、第４のワイヤ４１の図示を省略している。
【００４２】
さらに、図示された実施形態においては、プラグインコネクタ１１の組み立て前のケーブル４０の位置決め・配置のために、上部１２が少なくとも１つのケーブルダクト３１（図４においては４つのケーブルダクト３１を図示）を備えることが想定されている。
【００４３】
ケーブル４０は、ケーブル絶縁体４３により被覆された少なくとも１つの導体４２を備える。さらに、一例として、ケーブル４０の異なる複数のワイヤ４１が接続用ブリッジ４４を介して互いに接続されることが想定されている。
【００４４】
図５は、組み立て完了状態におけるプラグインコネクタ１１に関する部分断面斜視図である。なお、図５に於いて、図１乃至４で示す部分と一致する部分については、同一の参照符号を付与するものとする。
【００４５】
図５において、ブレード型締め付けコンタクト１３が、どのようにプラグインコネクタ１１の組み立て中にワイヤ４１のケーブル絶縁体を貫通し、導体４２とのコンタクトを確立し、導体４２を所定位置に固定するかを視認することができる。組み立て工程中に、上部１２の位置決め要素３０は、ベース要素１０の位置決め要素ガイド２４に進入した状態になっている。図５において視認できないが、戻り止め３４は、ベース要素１０上に上部１２を固定するために、最終固定位置でスナップ嵌合する。
【００４６】
図５に示すように、少なくとも１つの締め付け要素１５、１６、１７、２１は、変形または少なくとも部分的なケーブル絶縁体４２への挿入の何れかによりケーブル絶縁体４３を締め付け、プラグインコネクタ１１に対するケーブル４０の引抜力を相当増加させる。少なくとも１つの締め付け要素１５、１６、１７、２１の長さは、かかる点に応じて選択（設定）する。
【００４７】
この長さにより、少なくとも１つの締め付け要素１５、１６、１７、２１が、ケーブル絶縁体４３を変形させるだけであるか、少なくとも部分的にケーブル絶縁体４３に貫通し、ケーブル絶縁体４３に確実に嵌まり込むかどうかが決まる。少なくとも１つの締め付け要素１５、１６、１７、２１は非弾性要素として具現され、所要の力、即ち所要の剛性を提供する。
【００４８】
締め付け要素１５、１６、１７、２１は、非導電性であることが好ましく、導体４２までケーブル絶縁体４３を貫通する、または、導体４２の外側のケーブル絶縁体４３を完全にまたは略完全に貫通する。
【００４９】
図示する実施形態において、第１締め付け要素１５は、上部１２の取り付け方向におけるワイヤ４１の径の外側の位置で、ケーブル絶縁体４３をベース要素１０に対して締め付けることが想定されている。第２締め付け要素１６の尖端部１８は、少なくとも上記取り付け方向におけるワイヤ４１の略径上でケーブル絶縁体４３を締め付ける。
【００５０】
図５に示す実施形態において、第３締め付け要素１７が備えられ、少なくとも第３締め付け要素１７の１つの尖端部１９によって、ケーブル４０の２つのワイヤ４１間の接続用ブリッジ４４を締め付けることが想定されている。さらに、本実施形態によれば、第３締め付け要素１７がさらに少なくとも１つのケーブル絶縁体４３を、好ましくは隣接する２つのケーブル絶縁体４３を、上記取り付け方向におけるワイヤ４１の径の外側で確実に締め付けるように、第２締め付け要素１７の幅が選択されている。
【００５１】
図６は、組み立て完了状態におけるプラグインコネクタ１１の前面の断面斜視図である。なお、ここでは、上部１２が少なくとも１つのケーブルダクト３１を備えることが想定されている。また、図６に於いて、図１乃至５で示す部分と一致する部分については、同一の参照符号を付与するものとする。
【００５２】
また、同図はワイヤ４１が所定位置に取り付けられている状態を示す。図６においては、上部１２およびベース要素１０の前面の断面で、少なくとも１つの締め付け要素１５、１６、１７、２１の配置を完全に視認することができる。
【００５３】
プラグインコネクタ１１の組み立て完了状態で、図示された例で２つの別々の尖端部２２および２３を備える第４締め付け要素２１を視認することができるように、上部１２のケーブルダクト３１は、ケーブルを所定位置に取り付けない状態で示されている。
【００５４】
最後に、図７は組み立て完了状態における本発明に係るプラグインコネクタ１１の斜視図であり、ケーブル４０が所定位置に取り付けられた状態を示している。
【図面の簡単な説明】
【００５５】
【図１】特に本発明に係るプラグインコネクタのベース要素に関する斜視図であり、プラグインコネクタの組み立て前の状態を示す図。
【図２】特に本発明に係るプラグインコネクタの上部に関する斜視図であり、プラグインコネクタの組み立て工程中の状態を示す図。
【図３】本発明に係るプラグインコネクタの斜視図であり、ケーブルが取り付けられていないプラグインコネクタの組み立て完了時の状態を示す図。
【図４】特に本発明に係るプラグインコネクタのベース要素に関する斜視図であり、ケーブルダクトにケーブルが取り付けられたプラグインコネクタの組み立て前の状態を示す図。
【図５】特に本発明に係るプラグインコネクタの部分断面斜視図であり、プラグインコネクタの組み立て完了時の状態を示す図。
【図６】特に本発明に係るプラグインコネクタの前部断面斜視図であり、プラグインコネクタの組み立て完了時の状態を示す図。
【図７】本発明に係るプラグインコネクタの斜視図であり、ケーブルが所定位置に配置されたプラグインコネクタの組み立て完了時の状態を示す図。
【図１】
2008084857.tif 000003
【図２】
2008084857.tif 000004
【図３】
2008084857.tif 000005
【図４】
2008084857.tif 000006
【図５】
2008084857.tif 000007
【図６】
2008084857.tif 000008
【図７】
2008084857.tif 000009